(57)【特許請求の範囲】
【請求項１】
建物の互いに対向する２つの面の間に配設される建材と、これらの面のうちの少なくとも一方との間にできる隙間を目隠しするための建材の隙間目隠し材であって、前記建材側の端部が、この建材に対して前記隙間の大きさ方向に移動自在な調整部となっており、この調整部は前記建材側に開口した二股部であるとともに、この二股部の内側に前記建材の前記隙間側の端部が移動自在に挿入されていることを特徴とする建材の隙間目隠し材。
【請求項２】
請求項１に記載の建材の隙間目隠し材において、前記二股部の内側に移動自在に挿入されている前記建材の前記隙間側の端部は、この建材の骨組み材を含む部分となっていることを特徴とする建材の隙間目隠し材。
【請求項３】
請求項１または２に記載の建材の隙間目隠し材において、前記隙間には前記一方の面からの前記建材の位置を調整するためのアジャスト装置が配置され、このアジャスト装置と係合する係合部を備えていることを特徴とする建材の隙間目隠し材。
【請求項４】
請求項３に記載の建材の隙間目隠し材において、前記アジャスト装置には板状の突起部が設けられ、前記係合部はこの突起部が挿入される溝であることを特徴とする建材の隙間目隠し材。
【請求項５】
請求項３に記載の建材の隙間目隠し材において、前記アジャスト装置には板状の突起部が設けられ、前記係合部はこの突起部に係止されるフック部であることを特徴とする建材の隙間目隠し材。
【請求項６】
請求項３〜５のいずれかに記載の建材の隙間目隠し材において、前記建材の厚さ方向に重ねられた外側部材と内側部材とを含んで形成され、外側部材は軟質であり、内側部材は硬質であり、この内側部材には前記隙間の長さ方向に延びる切り込みが形成され、この切り込みを中心として前記係合部を有する前記一方の面の側の部分が前記外側部材の軟質性により前記建材の厚さ方向に回動自在になっていることを特徴とする建材の隙間目隠し材。
【発明の詳細な説明】
【０００１】
【発明の属する技術分野】
本発明は、建物に設置される間仕切り壁等の建材と、床面、天井面、壁面等の建物の面との間にできる隙間を目隠しするための目隠し材に係り、例えば、幅木や天井見切り縁、壁見切り縁として利用できるものである。
【０００２】
【背景技術】
建物の内部の空間を仕切るための建材である可動式間仕切り壁は床面と天井面とに間に設置され、この間仕切り壁の上下寸法は床面から天井面までの天井高さよりも小さく設定されており、これにより、間仕切り壁を床面と天井面との間に容易に、また天井高さに誤差があっても確実に設置できるようになっている。このため、間仕切り壁の下端をアジャスト装置で押し上げ支持して間仕切り壁の上端を天井面に当接させたときには、床面と間仕切り壁の下端との間にアジャスト装置による隙間が生じ、この隙間の大きさは、間仕切り壁が設置される同じ建物内のそれぞれの場所やそれぞれの建物において天井高さの誤差等のために異なり、このような大きさが異なる隙間であっても、良好な外観を得るため幅木等の隙間目隠し材で目隠ししなければならない。
【０００３】
従来ではこのように大きさの異なる隙間に対処するため、隙間目隠し材として、平行になっている一対のフランジの間隔が異なる２種類のチャンネル材を用意し、一方のチャンネル材を床面に上向きに固定し、他方のチャンネル材を間仕切り壁の下端に下向きに取り付け、これらのチャンネル材のフランジ同士の上下摺動により隙間の大きさの相違を吸収して隙間を目隠しするようにしていた。
【０００４】
【発明が解決しようとする課題】
この従来技術によると、大きさの異なる隙間を目隠しするために一対のフランジの間隔が異なる２種類のチャンネル材が使用され、このため、用意しなければならない材料の種類が複数となり、その管理、取り扱いが面倒になるとともに、コストアップにもなるという問題があった。
【０００５】
本発明の目的は、間仕切り壁等の建材を建物の互いに対向する２つの面の間に設置した場合に隙間が生じ、この隙間の大きさが建材の設置場所で異なっても、隙間を１種類の部材で目隠しできるようになり、用意しなければならない材料の種類を従来よりも削減できるようになる建材の隙間目隠し材を提供するところにある。
【０００６】
【課題を解決するための手段】
本発明に係る建材の隙間目隠し材は、建物の互いに対向する２つの面の間に配設される建材と、これらの面のうちの少なくとも一方との間にできる隙間を目隠しするための建材の隙間目隠し材であって、建材側の端部が、この建材に対して隙間の大きさ方向に移動自在な調整部となっていることを特徴とするものである。
【０００７】
本発明に係る目隠し材は、建材側の端部が建材に対して隙間の大きさ方向に移動自在な調整部となっているため、大きさの異なる隙間に対してはこの調整部を建材に対して移動させることにより対処できるようになり、このため、大きさが相違する隙間が建材と建物の面との間に生じても、これらの隙間を１種類の目隠し材で目隠しできる。
【０００８】
目隠し材の調整部は建材に対して隙間の大きさ方向に移動自在になっていればよく、その具体的な一例は、建材の隙間側の端部には隙間側に開口した二股部を設けるとともに、目隠し材の建材側の端部には建材側に直線的に延びる直線部を設け、この直線部を建材の二股部の内側に移動自在に挿入することにより、直線部を調整部とすることであり、また他の例は、目隠し材の建材側の端部には建材側に開口した二股部を設け、この二股部の内側に建材の隙間側端部を移動自在に挿入することにより、二股部を調整部とすることである。
【０００９】
前者の例によると、建材の隙間側端部に隙間側に開口した二股部を設けなければならず、これまでの建材の形状、構造を変更しなければならないため、このような問題が生じない後者の例を採用することが好ましい。
【００１０】
また、この後者の例を採用するときには、目隠し材の二股部の内側に挿入する建材の端部は建材の骨組み材を含む部分とすることが好ましい。このように建材の骨組み材を含む建材の端部を目隠し材の調整部になっている二股部の内側に挿入するようにすると、二股部による目隠し材と建材との接続を建材の骨組み材を含ませて行えるようになり、これにより確実な接続状態を得られるようになる。
【００１１】
建物の前記一方の面と建材との間には、この面からの建材の位置を調整するためのアジャスト装置が配置される。目隠し材をこのアジャスト装置と無関係な独立状態にして隙間に配置してもよいが、アジャスト装置に目隠し材を係合することにより、目隠し材をアジャスト装置に連結した状態で隙間に配置することがより好ましい。
【００１２】
このようにすると、目隠し材はアジャスト装置への係合によりアジャスト装置に保持されるようになり、目隠し材を固定状態にして所定位置に配置できることになる。
【００１３】
目隠し材をアジャスト装置に係合させて目隠し材とアジャスト装置とを連結するためには、アジャスト装置に凸部が形成されていれば、この凸部に係合可能な係合部としての凹部を目隠し材に設ければよく、また、アジャスト装置に凹部が形成されていれば、この凹部に係合可能な係合部としての凸部を目隠し材に設ければよく、係合部はこれ以外に、アジャスト装置に孔、溝等が形成されていれば、これらに係合可能なフック等でもよい。
【００１４】
また、アジャスト装置に板金の折り曲げで形成された部材があり、この部材に板状の突起部がある場合には、目隠し材に設ける係合部は、この板状の突起部を挿入できる溝としてもよい。このように、目隠し材の係合部を、板金の折り曲げで形成された部材の板状突起部を挿入できる溝にすると、アジャスト装置を構成する部材の材料を有効に生かしたまま、言い換えると、アジャスト装置を構成する部材の形状、構造を大きく変えることなく、目隠し材をアジャスト装置に係合させることができるようになり、また、板状突起部の長さ分の係合長さを得られるため、目隠し材とアジャスト装置との連結強度を大きくできる。
【００１５】
また、以上と同じくアジャスト装置に板金の折り曲げで形成された部材があり、この部材に板状の突起部がある場合には、目隠し材に設ける係合部をこの板状の突起部に係止されるフック部としてもよい。このように係合部を板状突起部に係止されるフック部とすると、上述と同じくアジャスト装置を構成する部材の材料を有効に生かすことができるとともに、アジャスト装置への係合作業を容易に行えるようになる。
【００１６】
このように目隠し材に溝やフック部等による係合部を設けることにより目隠し材をアジャスト装置に係合させるようにした場合には、この係合作業を簡単化するため、目隠し材における建物の前記一方の面の側の部分を建材の厚さ方向に回動自在とするための回動中心部を目隠し材に設け、この中心部から折り曲げ状態にしていた目隠し材を建材の厚さ方向内側に回動させて展延状態とすることにより、簡単に目隠し材の係合部をアジャスト装置に係合させることができる構造とすることが好ましい。
【００１７】
このように目隠し材を建材の厚さ方向に回動させることができて、目隠し材を折り曲げ状態から展延状態に形状変更させることができるようにするためには、目隠し材全体を軟質樹脂等の軟質材料で形成し、目隠し材の任意な箇所を回動中心部にして回動させるようにしてもよく、また、目隠し材を、建材の厚さ方向に重ねられた外側部材と内側部材とを含んで形成し、外側部材を軟質とし、内側部材を硬質樹脂、金属、木材等による硬質とし、この内側部材に前記隙間の長さ方向に延びる切り込みを形成し、この切り込みを中心として前記係合部を有する前記一方の面の側の部分を外側部材の軟質性により建材の厚さ方向に回動自在としてもよい。
【００１８】
前者を採用する場合には、目隠し材の材料として、隙間を確実に所定通り塞ぐことができる形状保持性を有した適度な軟質性の材料を選択する。また、後者を採用する場合には、硬質の内側部材により目隠し材は必要とされる強度と硬度を備えたものになるため、外側部材の軟質材料は任意なものを選択できることになる。
【００１９】
このように目隠し材を軟質の外側部材と硬質の内側部材との重ね合わせとした場合には、内側部材を外側部材と同じく隙間の長さ方向に連続した長い寸法を有するものとしてもよく、内側部材を短寸法とし、この短寸法の内側部材を間隔を開けて外側部材に複数個重ね合わせてもよい。
【００２０】
以上の本発明は、建物の互いに対向する２つ面の間に設置される任意な建材について適用することができ、建材は例えば可動式間仕切り壁でもよく、固定式間仕切り壁でもよく、あるいは、集合住宅のベランダ用の間仕切りでもよく、トイレブース用の仕切り部材でもよい。
【００２１】
また、建材との間に隙間ができる建物の面は床面でもよく、天井面でもよく、壁面でよく、軒天でもよい。建材と床面との間の隙間を本発明に係る目隠し材で目隠しする場合には、この目隠し材は幅木となり、建材と天井面との間の隙間を本発明に係る目隠し材で目隠しする場合には、この目隠し材は回り縁等の天井見切り縁となり、建材と壁面との間の隙間を本発明に係る目隠し材で目隠しする場合には、この目隠し材は壁見切り縁となる。
【００２２】
また、建物の互いに対向する２つの面の間に建材を設置したとき、これらの面のいずれか一方と建材との間だけに隙間ができる場合に本発明を適用してもよく、また、これらの面の両方と建材との間に隙間ができる場合にも本発明を適用してもよい。そして、２つの面の両方と建材との間に隙間ができる場合に本発明を適用する場合には、一方の隙間だけを本発明に係る目隠し材で塞いでもよく、両方の隙間を本発明に係る目隠し材で塞いでもよい。
【００２３】
また、建材と建物の面との間にできる隙間の片側に他の建材等が配置されていてこの片側が塞がれている場合には、この片側とは反対側だけに本発明に係る目隠し材を配置してもよく、隙間の両側が開放状態になっている場合には、この両側に本発明に係る目隠し材を配置してもよい。
【００２４】
また、本発明に係る目隠し材は、建材が金属製、木製、プラスチック製等のいずれであっても適用することができ、建材はこれらの材料を組み合わせたものでもよい。
【００２５】
さらに、建材と建物の面との間に配置されてこの面からの建材の位置を調整するための前記アジャスト装置は、ねじ式のものでもよく、リンク機構式のものでもよく、スライダを使用したスライド式のものでもよく、その形式、構造は任意である。
【００２６】
【発明の実施の形態】
以下に本発明の実施形態を図面に基づいて説明する。図１は、建物の互いに対向する２つの面になっている床面１と天井面２との間に、建材である可動式の間仕切り壁３を複数並設して建物内部の空間を仕切ったときを示す間仕切り壁３の正面図であり、図２は、図１のII−II線断面図である。間仕切り壁３は、図２に示すように、骨組み４と、骨組み４の両側に接着剤等で固定された表面材５，６と、表面材５，６の間に充填された断熱材７とで構成され、骨組み４は、図１に示されている通り、間仕切り壁３の四周辺を形成する上下、左右の骨組み材８〜１１で形成されている。
【００２７】
これらの骨組み材８〜１１のうち、少なくとも上下の骨組み材８，９は図２で分かるようにチャンネル材からなり、上側のチャンネル材８は開口部を上向きにして配設され、下側のチャンネル材９は開口部を下向きにして配設されている。間仕切り壁３が床面１に置かれたアジャスト装置１２で下端が持ち上げ支持されることにより、間仕切り壁３の上端に取り付けられたクッション部材１３が天井面２に当てられながら、上側の骨組み材８の開口部にビス１４で固定された天井レール１５が嵌入され、これにより間仕切り壁３は所定高さまで押し上げられながら図２の左右方向に位置決めされるようになっている。
【００２８】
上端のクッション部材１３が天井面２に当たるまで間仕切り壁３がアジャスト装置１２で持ち上げられると、床面１と間仕切り壁３との間には隙間ができ、この隙間は本実施形態に係る目隠し材となっている幅木１６で目隠しされ、この幅木１６は間仕切り壁３の厚さ方向の両側に配置され、間仕切り壁の厚さ方向中央部に配置されたアジャスト装置１２も両側の幅木１６で隠れるようになっている。
【００２９】
図３は、アジャスト装置１２の分解斜視図であり、図４は、幅木１６の斜視図である。
【００３０】
図３において、アジャスト装置１２は板金の折り曲げ品である基台１７と、ねじ棒１８とを含んで構成されている。基台１７は、水平な上面部１７Ａと、上面部１７の互いに対向する２つの辺から鉛直下向きに延びた側面部１７Ｂと、側面部１７Ｂの下端から外側に突出した脚部１７Ｃとを有し、上面部１７Ａにねじ棒１８を上から挿入できる孔１９が形成されているとともに、側面部１７Ｂが延びる上面部１７Ａの辺と直角をなしている２つの辺には、板金の折り曲げ品である基台１７の材料をそのまま生かした板状の突起部２０が形成され、これらの板状突起部２０は、図２と図３から分かるように、床面１と間仕切り壁３との間の隙間の長さ方向（図２の紙面と直角方向）の長さを有している。
【００３１】
図２に示されているように、間仕切り壁３のチャンネル材からなる下側の骨組み材９のウェブ９Ａには、ねじ棒１８を下から挿入できる孔が形成され、この孔の位置においてウェブ９Ａの上面にはナット２１が溶接で固定されている。アジャスト装置１２は図３で示す２個のナット２２，２３も構成部材として構成されており、これらのナット２２，２３は、孔１９に挿入されるねじ棒１８に基台１７の上面部１７Ａの上下において螺合される。
【００３２】
図４で示す幅木１６は、間仕切り壁３の左右寸法（幅寸法）と対応する長さを有するとともに、この長さ方向に同じ断面形状が連続しているプラスチック製の押し出し成形品である。また、幅木１６は、間仕切り壁３の厚さ方向に重ねられた外側部材２４と内側部材２５とからなり、外側部材２４は軟質樹脂製であり、内側部材２５は硬質樹脂製である。これらの外側部材２４と内側部材２５は、溶融状態の軟質樹脂材料と硬質樹脂材料とを押し出し成形するときに同時に接合固化させたものでもよく、外側部材２４と内側部材２５を個別に押し出し成形し、この後、接着剤等で接合したものでもよい。
【００３３】
外側部材２４は、内側部材２５の上面を覆う上端部２４Ａを有し、この上端部２４Ａから同じ厚さが連続する主部２４Ｂが下方に延び、下端部２４Ｃは、主部２４よりも厚肉状になっていて外方に突出した厚さを有している。内側部材２５には、内側部材２５の上下寸法のほぼ中央において外側部材２２まで達する切り込み２６が形成され、幅木１６の長さ方向に連続するこの切り込み２６で内側部材２５は、上部２５Ａと下部２５Ｂとに区分され、そして、幅木１６も切り込み２６を境界として上半分と下半分とに区画されている。
【００３４】
内側部材２５の上部２５Ａには、アジャスト装置１２側へ延びる水平部２７Ａと、水平部２７Ａの先端から立ち上がった立上部２７Ａとが設けられ、これらにより上部２５Ａには上方に向かって、言い換えると間仕切り壁３に向かって開口した二股部２７が形成されている。この二股部２７は上方へ先細りに開口し、上端の開口幅は下端の開口幅よりも小さく、最も小さい開口幅は、図２で示す間仕切り壁３の表面材５また６と骨組み材９のフランジ９Ｂとの合計厚さよりも小さい。このため、骨組み材９のフランジ９Ｂを含む間仕切り壁３の下端を図２に示すように二股部２７の内側に二股部２７の拡開変形で挿入すると、二股部２７の弾性力でこの下端を挟持できるようになっている。
【００３５】
また、二股部２７は、骨組み材９のフランジ９Ａを含む間仕切り壁３の下端に対して床面１と間仕切り壁３との間の隙間の大きさ方向（上下方向）に移動自在となった調整部を形成するものとなっている。
【００３６】
図４に示すように、内側部材２５の下部２５Ｂにはアジャスト装置１２側へ水平に突出する突堤部２８が形成され、この突堤部２８には、突堤部２８の前面から外側部材２４側への深さを有する溝２８Ａが形成されている。幅木１６の下面からこの溝２８Ａまでの高さ寸法は、床面１にアジャスト装置１２の基台１７を置いたときにおける床面１から前記板状突起部２０までの高さ寸法と同じになっており、溝２８Ａにはこの板状突起部２０を圧入状態で挿入することができ、溝２８Ａは、この挿入によりアジャスト装置１２と係合する幅木１６の係合部となっている。
【００３７】
次ぎに、床面１と天井面２との間に間仕切り壁３を設置する作業を説明する。先ず間仕切り壁３を持ち上げ、アジャスト装置１２のねじ棒１８を間仕切り壁３の骨組み材９のウェブ９Ａに形成された孔に下から挿入するとともに、ねじ棒１８をウェブ９Ａに固定されているナット２１に螺入し、回転により下端を間仕切り壁３の下端近くまで上昇させたねじ棒１８にナット２２を螺合する。次いで、間仕切り壁３を設置すべき床面１の場所にアジャスト装置１２の基台１７を置き、この真上に間仕切り壁３を配置するとともに、ねじ棒１８を逆回転させてその下部を基台１７の孔１９に上から挿入し、基台１７の上面部１７Ａの下に突出したねじ棒１８の下端にナット２３を螺合する。
【００３８】
そして、ねじ棒１８の回転を工具等で阻止しながらナット２２を回転させることによりこのナット２２を基台１７の上面部１７Ａの上面に当て、さらにナット２２を回転させることにより、ねじ棒１８の上昇力で間仕切り壁３を押し上げ、これにより、間仕切り壁３の上端のクッション部材１３を天井面２に当てながら、間仕切り壁３の骨組み材８の開口部に天井レール１５を入れる。あるいは、間仕切り壁３を持ち上げることにより、間仕切り壁３の骨組み材８の開口部に天井レール１５を入れながらクッション部材１３を天井面２に押し当て、この状態でナット２２を回転させて基台１７の上面部１７Ａの上面に当たる高さまでナット２２をねじ棒１８に対して降ろす。次いでナット２３を回転させ、このナット２３を基台１７の上面部１７Ａの下面に当てて２個のナット２２，２３を締め付けることにより、これらのナット２２，２３によるダブルナットでねじ棒１８を回転止めし、間仕切り壁３をその高さ位置に維持させる。
【００３９】
このように間仕切り壁３の下端を押し上げ支持するアジャスト装置１２は、図１に示すように、間仕切り壁３の左右方向（幅方向）に複数あり、それぞれのアジャスト装置１２について以上の作業を行う。
【００４０】
この後、図５に示すように、幅木１６の切り込み２６から下半分を上半分に対して折り曲げ、この状態で上半分に形成されている二股部２７の内側に骨組み材９のフランジ９Ａを含む間仕切り壁３の下端を挿入し、そして下半分を切り込み２６を中心に間仕切り壁３の厚さ方向内側に回動させることにより、幅木１６を垂直の展延状態とし、このとき、二股部２７を間仕切り壁３に対して上下させることにより、幅木１６の溝２８Ａの高さ位置を基台１７の板状突起部２０の高さ位置と同じにし、溝２８Ａに突起部２０を挿入する。
【００４１】
これにより、溝２８Ａが係合部となって幅木１６はアジャスト装置１２に係合し、幅木１６は、二股部２７で間仕切り壁３に接続されながら溝２８Ａでアジャスト装置１２に連結されることになり、床面１と間仕切り壁３との間の隙間を目隠しする幅木１６は、固定状態となってその隙間の位置に配置される。このときには、幅木１６の下面は床面１に接触している。
【００４２】
幅木１６をこのようにして間仕切り壁３の下端に取り付ける作業は、アジャスト装置１２の両側、すなわち間仕切り壁３の厚さ方向両側について行う。また、図１に示すように、複数の間仕切り壁３を左右方向に並設する場合には、それぞれの間仕切り壁３についてこの作業を行う。
【００４３】
間仕切り壁３を以上とは天井高さに相違がある同じ建物における別の場所または別の建物に設置すると、アジャスト装置１２によって床面１ｆ間仕切り壁３との間にできる隙間の大きさは、上述とは異なることになる。
【００４４】
しかし、本実施形態の係る目隠し材になっている幅木１６には、間仕切り壁３の下端に対して図２の上下長さＬ分だけ移動自在になっている二股部２７が設けられ、この二股部２７は隙間の大きさの相違に対する調整部となるため、隙間の大きさが異なっていても幅木１６をそれぞれの間仕切り壁設置場所で使用でき、このため、用意しなければならない幅木は１種類だけでよくなる。
【００４５】
また、二股部２７は間仕切り壁３の下端を弾性的に挟持するため、二股部２７による幅木１６と間仕切り壁３との接続を確実なものにできる。
【００４６】
また、二股部２７の内側に挿入される間仕切り壁３の下端は、間仕切り壁３の骨組み材９のフランジ８Ａを含む部分であるため、幅木１６に接続される間仕切り壁３の部分は強度の大きな箇所であり、このため、幅木１６と間仕切り壁３の接続強度を大きくできる。
【００４７】
さらに、幅木１６は、アジャスト装置１２の基台１７の突起部２０が挿入されることによりアジャスト装置１２と係合する溝２８Ａを備えているため、この係合で幅木１６はアジャスト装置１２に連結されることになり、この結果、幅木１６を固定状態にして所定位置に配置できるようｉなる。
【００４８】
また、溝２８Ａに挿入されるアジャスト装置１２の箇所は、板金の折り曲げで形成された基台１７の板状の突起部２０であるため、基台１７の材料の形状的特徴をそのまま利用して幅木１６とアジャスト装置１２との連結を行えるとともに、板状の突起部２０は床面１と間仕切り壁３との間の隙間の長さ方向に長いため、幅木１６とアジャスト装置１２との長い係合長さを確保することができ、これによりアジャスト装置１２に対する幅木１６の連結強度を大きくすることができる。
【００４９】
さらに、幅木１６は間仕切り壁３の厚さ方向に重ねられた軟質の外側部材２４と硬質の内側部材２５からなり、内側部材２５に形成された切り込み２６により、幅木１６の下半分は二股部２７を備えた上半分に対して間仕切り壁３の厚さ方向に回動自在になっているため、下半分に設けられた溝２８Ａに基台１７の板状突起部２０を挿入するためには、切り込み２６を中心に上半分に対して折り曲げ状態にした下半分を間仕切り壁３の厚さ方向内側に回動させて幅木１６を展延状態にするだけでよく、この挿入作業を簡単に行える。
【００５０】
また、幅木１６は硬質材料からなる内側部材２５を備えているため、幅木１６として必要な強度、硬度を有するものとなっている。
【００５１】
図６は、別実施形態に係るアジャスト装置３２を示す。このアジャスト装置３２も、基台１７と、ねじ棒１８と、２個のナット４２，４３とで構成されているが、２個のナット４２，４３のうちの一方のナット４２は、間仕切り壁３の骨組み材９のウェブ９Ａの下面に締め付けられることにより、ナット２１と共にねじ棒１８の回転止めのダブルナットとして使用され、他方のナット４３は回転せしめられることによりねじ棒１８における高さが調整され、そしてナット４３が基台１７の上面部１７Ａの上面に当てられることにより、間仕切り壁３は上端のクッション部材１３が天井面２に当たる床面１から所定高さ位置に支持される。
【００５２】
図７は、さらに別実施形態に係るアジャスト装置５２を示す。このアジャスト装置５２は、高さ寸法の低い基台５７と、ねじ棒５８と、ねじ棒５８に螺合されたナット６２，６３と、スペーサ８０とで構成されており、基台５７とスペーサ８０は板金の折り曲げ品である。
【００５３】
基台５７は、水平な上面部５７Ａと、上面部５７Ａの互いに対向する２つの辺から鉛直下向きに延びる側面部５７Ｂと、側面部５７Ｂの下端から外向きに突出した脚部５７Ｃとからなる。ねじ棒５８は、頭部５８Ａを備えた長軸ボルトであり、このねじ棒５８は、基台５７の上面部５７Ａに形成された孔５９に下から挿入され、頭部５８Ａが上面部５７Ａの下面に溶接で接合されることにより、ねじ棒５８は倒立状態で基台５７と一体化されている。そして、側面部５７Ｂが延びる辺と直角をなす上面部５７Ａの２つの辺には、図３の実施形態と同様に、側面部５７Ｂよりも外側に突出した板状の突起部７０が設けられている。
【００５４】
スペーサ８０は、ねじ棒５８が挿入された孔８１を有する下面部８０Ａと、下面部８０Ａの両端から立ち上がった側面部８０Ｂと、それぞれの側面部８０Ｂの上端から互いに近づくように内向きに突出した水平な受け部８０Ｃとからなる。
【００５５】
２個のナット６２，６３は、スペーサ８０の下面部８０Ａの上下においてねじ棒５８に螺合されている。
【００５６】
図８は、アジャスト装置５２で間仕切り壁３が床面１から押し上げ支持された状態を示している。この図８では、図６までの実施形態とは異なる幅木８６が使用されている。この幅木８６は全部が軟質樹脂からなり、床面１と間仕切り壁３との間の隙間の長さ方向に連続する長さを有している。また、幅木８６には、骨組み材９のフランジ９Ｂを含む間仕切り壁３の下端を弾圧的な挟持状態で内側に挿入できる二股部９７が形成され、また幅木８６の下部には、上面８６Ｂが水平の平坦になったフック部８６Ａが設けられている。
【００５７】
幅木８６の下面からのフック部８６Ａの上面８６Ｂの高さ位置は、基台５７を床面１に置いたときにおける基台５７の板状突起部７０の下面の高さ位置と同じか、これよりも若干高くなっている。
【００５８】
間仕切り壁３をアジャスト装置５２で押し上げることにより、間仕切り壁３の上端のクッション部材１３を天井面２に当てる作業は、次ぎのように行う。
【００５９】
ねじ棒５８が倒立状態で一体化されている基台５７を床面１に置き、ねじ棒５８に沿ってナット６２、スペーサ８０、ナット６３を下まで降ろし、骨組み材９のウェブ９Ａに形成されている孔にねじ棒５８を挿入しながら間仕切り壁３を基台５７の真上に配置し、ナット６２、スペーサ８０、ナット６３を上昇させることにより、スペーサ８０の受け部８０Ｃを骨組み材９のウェブ９Ａの下面に当て、さらにナット６３を上昇させることによってスペーサ８０を介して間仕切り壁３を押し上げ、その上端のクッション部材１３を天井面２に当てる。そして、２個のナット６２，６３をスペーサ８０の下面部８０Ａに締め付けることにより、スペーサ８０をねじ棒５８に固定する。
【００６０】
アジャスト装置５２により床面１と間仕切り壁３との間にできた隙間を幅木８６で目隠しするためには、先ず、軟質材料からなる幅木８６を、フック部８６Ａが形成されている下部が間仕切り壁３の厚さ方向外側となるように全体的に湾曲状態に折り曲げ、次いで、二股部９７の内側に骨組み材９のフランジ９Ｂを含む間仕切り壁３の下端を挿入し、この後、幅木８６の弾性力で幅木８６の下部が鉛直方向に延びた展延状態にすることにより、フック部８６Ａの上面８６Ｂを基台５７の板状突起部７０の下面に係止する。
【００６１】
したがって、この実施形態では、アジャスト装置５２に係合する幅木８６の係合部は、基台５７の板状の突起部７０に係止されるフック部８６Ａである。
【００６２】
この実施形態によると、図６までの実施形態と同様に、調整部となっている二股部９７の上下長さ分だけ隙間の大きさの相違に対応できるとともに、アジャスト装置５２に幅木８６を係合させて幅木８６を固定状態とする作業を簡単に行える。
【００６３】
以上のように、アジャスト装置がねじ棒を使用したものであっても、その構造は任意である。
【００６４】
【発明の効果】
本発明によると、間仕切り壁等の建材が建物における互いに対向する２つの面がある各場所に配置され、これらの面の間隔の相違により建物の面と建材との間にできる隙間の大きさに相違があっても、この隙間を目隠しする目隠し材を１種類とすることができ、この目隠し材の管理、取り扱いを容易にできるという効果を得られる。
【図面の簡単な説明】
【図１】建材である可動式間仕切り壁を複数並設して建物内部を区画したときにおける間仕切り壁の正面図である。
【図２】図１のII−II線断面図である。
【図３】アジャスト装置の分解斜視図である。
【図４】隙間目隠し材である幅木の斜視図である。
【図５】幅木を間仕切り壁に下端に取り付けるときを示す縦断面図である。
【図６】別実施形態に係るアジャスト装置で間仕切り壁を床面から押し上げ支持した状態を示す縦断面図である。
【図７】さらに別実施形態に係るアジャスト装置を示す斜視図である。
【図８】図７のアジャスト装置で間仕切り壁を床面から押し上げ支持し、かつ別実施形態に係る幅木を使用した状態を示す縦断面図である。
【符号の説明】
１  床面
２  天井面
３  建材である可動式間仕切り壁
８，９  可動式間仕切り壁の骨組み材
１２，３２，５２  アジャスト装置
１６，８６  隙間目隠し材である幅木
１７，５７  基台
１８，５８  ねじ棒
２０，７０  板状の突起部
２４  軟質の外側部材
２５  硬質の内側部材
２７，９７  調整部である二股部
２８Ａ  係合部である溝
８６Ａ  係合部であるフック部
【図１】
0003678903.tif 000002
【図２】
0003678903.tif 000003
【図３】
0003678903.tif 000004
【図４】
0003678903.tif 000005
【図５】
0003678903.tif 000006
【図６】
0003678903.tif 000007
【図７】
0003678903.tif 000008
【図８】
0003678903.tif 000009